(57)【要約】【課題】  この発明は放熱の速い自動清掃式伸縮装置の橋渡しを提供する。【解決手段】  放熱の速い自動清掃式伸縮装置の橋渡しである。この自動清掃式伸縮装置は、左半枠件（３）、右半枠件（４）、及び左半枠件（３）と右半枠件（４）間に、橋渡しの路面上と路面下で覆われた、左半枠件（３）と右半枠件（４）間の伸縮縫いの上弾性カバー件（６２）と下弾性カバー件（６１）を含める。左半枠件（３）、右半枠件（４）、上弾性カバー件（６２）と下弾性カバー件（６１）により囲まれた空洞（３０、４０）中に、前後方向に配列するの第一移動クリーンパネル（９）と第二移動クリーンパネル（８）に設置する。【選択図】  図２
2017020326.tif 000002
【特許請求の範囲】
【請求項１】
放熱の速い自動清掃式伸縮装置の橋渡しにおいて、この自動清掃式伸縮装置は、左半枠件（３）、右半枠件（４）、及び左半枠件（３）と右半枠件（４）間に、橋渡しの路面上と路面下で覆われた、左半枠件（３）と右半枠件（４）間の伸縮縫いの上弾性カバー件（６２）と下弾性カバー件（６１）を含み、左半枠件（３）、右半枠件（４）、上弾性カバー件（６２）と下弾性カバー件（６１）により囲まれた空洞（３０、４０）中に、前後方向に配列する第一移動クリーンパネル（９）と第二移動クリーンパネル（８）を設置し、それぞれの第一移動クリーンパネル（９）と第二移動クリーンパネル（８）が左パネル（９２、８２）と右パネル（９１、８１）を含み、右パネル（９１、８１）が左パネル（９２、８２）のキャビティ（920、820）に伸びるから、伸縮滑りができ、右パネル（91、81）の垂直方向の中部位置に、伸縮滑り方向に延びた縦スロット（９１０、８１０）を設置し、だから、前サスペンション部（７１）と後サスペンション部（７２）を通じて、左半枠件（３）上の上サイド（３２）に掛かり、その上の支えガイドバー（７）が第一移動クリーンパネル（９）の左パネル（９２）の側壁中のスルーホールと第一移動クリーンパネル（９）の右パネル（９１）の縦スロット（９１０）を伸び、また、第二移動クリーンパネル（８）の左パネル（８２）の側壁中のスルーホールと第二移動クリーンパネル（８）の右パネル（８１）の縦スロット（８１０）を伸び、支えガイドバー（７）は、スルーホールに対して前後方向の相対滑りを発生でき、また、縦スロット（９１０、８１０）に対して左右方向と前後方向の相対滑りを発生でき、後端に左電機（312）を通じて駆動の左スクリュー（52）と第二移動クリーンパネル（８）の左パネル（82）の左側の壁の中の第二光穴（528）の隙間を配合し、また、第一移動クリーンパネル（９）の左パネル（92）の左側の壁の中の第一ネジ穴（529）のネジを配合し、そして前端を回転し、左半枠件（３）の左下側壁（３１）の前凸耳（３１１）上に支え、左前凸耳（３１１）と左下側壁（３１）の主体の間に、第一殘り空隙漏れ（３１１０）を形成し、後端に右電機（４１２）を通じて駆動の右スクリュー（5１）と第二移動クリーンパネル（８）の右パネル（８１）の第二ネジ穴（518）のネジを配合し、また、第一移動クリーンパネル（９）の右パネル（９１）中の第一光穴（５１９）の隙間を配合し、そして前端を回転し、右半枠件（４）の右下側壁（４１）の右前凸耳（４１１）上に支え、右前凸耳（４１１）と右下側壁（４１）の主体の間に、第二殘り空隙漏れ（４１１０）を形成し、左電機（312）と右電機（412）の表面は、左電機（312）と右電機（412）実行時に発生した熱を吸収及び発散できる放熱フィン（101）を包み、このように、左電機（312）と右電機（412）は長時間実行時、温度が高すぎで焼かれることを防止することを特徴とする放熱の速い自動清掃式伸縮装置の橋渡し。
【請求項２】
請求項１に記載の放熱の速い自動清掃式伸縮装置の橋渡しにおいて、左電機（312）と左下側壁（31）の主体間に、第三殘り空隙漏れ（３１２０）を形成し、右電機（412）と右下側壁（41）の主体間に、第四殘り空隙漏れ（４１２０）を形成することをとくと湯とする放熱の速い自動清掃式伸縮装置の橋渡し。
【発明の詳細な説明】
【技術分野】
【０００１】
この発明は伸縮縫いの橋渡しにかかわる。特に、一種の放熱の速い自動清潔式伸縮装置の橋渡しである。
【背景技術】
【０００２】
橋渡しの面は、熱膨冷縮などの原因から、しばしば伸縮縫い装置を必要である。伸縮縫い装置の路面の隙間中に、路面のかす石が隙間に落ちることを避けるために、弾性のカバープレートを設ける。例えばゴム製品、伸縮縫い機能と運転性能を影響しない場合には、伸縮縫い隙間を覆わる。
【０００３】
しかし、このカバープレートは、運転中に局部の破損が発生できる。この破損は、すぐに修復されにくいから、残りカスが隙間に落ちて、伸縮縫いの功能を影響できる。
【０００４】
その隙間中のかす石に片付けることが、人力を浪費し、しかもサイクルが長い。
【先行技術文献】
【特許文献】
【０００５】
【特許文献１】特表2013-506070号公報
【発明の概要】
【発明が解決しようとする課題】
【０００６】
この発明は一種の放熱の速い自動清掃式伸縮装置の橋渡しを提供し、以上の問題を解決する。
【課題を解決するための手段】
【０００７】
この発明により、放熱の速い自動清掃式伸縮装置の橋渡しにおいて、自動清掃式伸縮装置は、左半枠件、右半枠件、及び左半枠件と右半枠件間に、橋渡しの路面上と路面下で覆われた、左半枠件と右半枠件間の伸縮縫いの上弾性カバー件と下弾性カバー件を含める。左半枠件、右半枠件、上弾性カバー件と下弾性カバー件により囲まれた空洞中に、前後方向に配列する第一移動クリーンパネルと第二移動クリーンパネルに設置する。それぞれの第一移動クリーンパネルと第二移動クリーンパネルが左パネルと右パネルを含める。右パネルが左パネルのキャビティに伸びるから、伸縮滑りことができる。右パネルの垂直方向の中部位置に、伸縮滑り方向に延びた縦スロットを設置される。だから、前サスペンション部と後サスペンション部を通じて、左半枠件上の上サイドに掛かる。その上の支えガイドバーが第一移動クリーンパネルの左パネルの側壁中のスルーホールと第一移動クリーンパネルの右パネルの縦スロットを伸びる。また、第二移動クリーンパネルの左パネルの側壁中のスルーホールと第二移動クリーンパネルの右パネルの縦スロットを伸びる。支えガイドバーは、スルーホールに対して前後方向の相対滑りを発生できる。また、縦スロットに対して左右方向と前後方向の相対滑りを発生できる。後端に左電機を通じて駆動の左スクリューと第二移動クリーンパネルの左パネルの左側の壁の中の第二光穴の隙間を配合する。また、第一移動クリーンパネルの左パネルの左側の壁の中の第一ネジ穴のネジを配合する。そして前端を回転し、左半枠件の左下側壁の前凸耳上に支える。左前凸耳と左下側壁の主体の間に、第一殘り空隙漏れを形成する。後端に右電機を通じて駆動の右スクリューと第二移動クリーンパネルの第二ネジ穴のネジを配合する。また、第一移動クリーンパネルの右パネル中の第一光穴の隙間を配合する。そして前端を回転し、右半枠件の右下側壁の右前凸耳上に支える。右前凸耳と右下側壁の主体の間に、第二殘り空隙漏れを形成する。左電機と右電機の表面は、左電機と右電機実行時に発生した熱を吸収できると発散できる放熱フィンを包む。このように、左電機と右電機は長時間に実行時、温度が高すぎで焼かれることを防止する。
【発明の効果】
【０００８】
この発明により、伸縮縫いの隙間の空洞中に、クリーンパネル装置に設置するから、前後方向（この発明で前後方向というのは、左右方向と逆の方向である）の移動を通じて、かす石を促進できり、隙間を離れ、また設置した下漏れタンクを落ちる。その中で、普段は使わない状態で、二つのクリーンパネルモジュールは、道の真ん中の道路分離線位置に設定できる。クリーンする時に、すべてのクリーンパネルユニットは、それぞれの半分に運動でき、隙間をクリーンできる。
【０００９】
もし大きなかす石をクリーンし難い時に、電機の運行によって、二つのクリーンパネルモジュールは、同時に同じ方向に運動し、大きなかす石を移動する。その中、中部に設置された支えガイドバーを通じて、伸縮縫いの伸縮運動に影響しなく、二つのクリーンパネルモジュールのクリーン運動に影響しない。また、二つのクリーンパネルモジュールの左右二つ部分の構造について、支えるとガイドすることができる。このため、二つの左右パネルが運動する時に、お互い揺れるさらに離れることを避ける。設置された凸耳、及び電器と側板の主体間や、凸耳と側板の主体間の下漏れタンクは、ねじの回転固定を実現できる。とともに、かす石のクリーン下漏れを影響しない。
【００１０】
すべてのネジと二つのクリーンパネルモジュールは、ネジを配合し、また隙間を配合する。単独のクリーンパネルモジュールに駆動する時に、ほかのガイドをすることが実現する。それから、結構の安定性が増えて、構造を固めになる。上側板に固定されたぶら下げ部は、ガイドバーの固定を支え、かす石が伸縮装置の両側末端開口を離れる時の影響について、最大限度を下げる。だから、底部に排出空間を空ける。全体の設備の構造は安定し、しかも運行も信頼し、使用も便利である。
【図面の簡単な説明】
【００１１】
【図１】この発明の放熱の速い自動清掃式伸縮装置の橋渡しの伸縮装置の断面図である。
【図２】図１中の矢印位置の断面図である。その中、図２中の矢印位置が図１の断面図に対応する。
【発明を実施するための形態】
【００１２】
以下、本発明の実施の形態について図面を参照して説明する。
【００１３】
実施例の放熱の速い自動清掃式伸縮装置の橋渡しによって、この自動清掃式伸縮装置は、左半枠件３、右半枠件４、及び左半枠件３と右半枠件４間に、橋渡しの路面上と路面下で覆われた、左半枠件３と右半枠件４間の伸縮縫いの上弾性カバー件６２と下弾性カバー件６２を含める。左半枠件３、右半枠件４、上弾性カバー件６２と下弾性カバー件６１により囲まれた空洞３０、４０中に、前後方向に配列する第一移動クリーンパネル９と第二移動クリーンパネル８に設置する。それぞれの第一移動クリーンパネル９と第二移動クリーンパネル８が左パネル９２、８２と右パネル９１、８１を含める。右パネル９１、８１が左パネル９２、８２のキャビティ920、820に伸びるから、伸縮滑りことができる。右パネル91、81の垂直方向の中部位置に、伸縮滑り方向に延びた縦スロット９１０、８１０を設置される。だから、前サスペンション部７１と後サスペンション部７２を通じて、左半枠件３上の上サイド３２に掛かる。その上の支えガイドバー７が第一移動クリーンパネル９の左パネル９２の側壁中のスルーホールと第一移動クリーンパネル９の右パネル９１の縦スロット９１０を伸びる。また、第二移動クリーンパネル８の左パネル８２の側壁中のスルーホールと第二移動クリーンパネル８の右パネル８１の縦スロット８１０を伸びる。支えガイドバー７は、スルーホールに対して前後方向の相対滑りを発生できる。また、縦スロット９１０、８１０に対して左右方向と前後方向の相対滑りを発生できる。後端に左電機312を通じて駆動の左スクリュー52と第二移動クリーンパネル８の左パネル82の左側の壁の中の第二光穴528の隙間を配合する。また、第一移動クリーンパネル９の左パネル92の左側の壁の中の第一ネジ穴529のネジを配合する。そして前端を回転し、左半枠件３の左下側壁３１の前凸耳上３１１に支える。左前凸耳３１１と左下側壁３１の主体の間に、第一殘り空隙漏れ３１１０を形成する。後端に右電機412を通じて駆動の右スクリュー51と第二移動クリーンパネル８の右パネル８１の第二ネジ穴518のネジを配合する。また、第一移動クリーンパネル９の右パネル９１中の第一光穴５１９の隙間を配合する。そして前端を回転し、右半枠件４の右下側壁４１の右前凸耳４１１上に支える。右前凸耳４１１と右下側壁４１の主体の間に、第二殘り空隙漏れ４１１０を形成する。左電機312と右電機412の表面は、左電機312と右電機412実行時に発生した熱を吸収できると発散できる放熱フィン101を包む。このように、左電機312と右電機412は長時間に実行時、温度が高すぎで焼かれることを防止する。
【００１４】
有益的に、その中で、左電機312と左下側壁31の主体間に、第三殘り空隙漏れ3120を形成する。右電機412と右下側壁41の主体間に、第四殘り空隙漏れを形成する。
【００１５】
この発明により、伸縮縫いの隙間の空洞中に、クリーンパネル装置に設置するから、前後方向（この発明で前後方向というのは、左右方向と逆の方向である）の移動を通じて、かす石を促進できり、隙間を離れ、また設置した下漏れタンクを落ちる。その中で、普段は使わない状態で、二つのクリーンパネルモジュールは、道の真ん中の道路分離線位置に設定できる。クリーンする時に、すべてのクリーンパネルユニットは、それぞれの半分に運動でき、隙間をクリーンできる。
【００１６】
もし大きなかす石をクリーンし難い時に、電機の運行によって、二つのクリーンパネルモジュールは、同時に同じ方向に運動し、大きなかす石を移動する。その中、中部に設置された支えガイドバーを通じて、伸縮縫いの伸縮運動に影響しなく、二つのクリーンパネルモジュールのクリーン運動に影響しない。また、二つのクリーンパネルモジュールの左右二つ部分の構造について、支えるとガイドすることができる。このため、二つの左右パネルが運動する時に、お互い揺れるさらに離れることを避ける。設置された凸耳、及び電器と側板の主体間や、凸耳と側板の主体間の下漏れタンクは、ねじの回転固定を実現できる。とともに、かす石のクリーン下漏れを影響しない。
【００１７】
すべてのネジと二つのクリーンパネルモジュールは、ネジを配合し、また隙間を配合する。単独のクリーンパネルモジュールに駆動する時に、ほかのガイドをすることが実現する。それから、結構の安定性が増えて、構造を固めになる。上側板に固定されたぶら下げ部は、ガイドバーの固定を支え、かす石が伸縮装置の両側末端開口を離れる時の影響について、最大限度を下げる。だから、底部に排出空間を空ける。
【００１８】
以上の実施例は、この発明の解釈性情報として、この発明の権利要求を制限する範囲ではない。
【符号の説明】
【００１９】
３  左半枠件
４  右半枠件
６２  上弾性カバー件
６１  下弾性カバー件
３０、４０  空洞
９  第一移動クリーンパネル
８  第二移動クリーンパネル
９２、８２  左パネル
９１、８１  右パネル
920、820  キャビティ
９１０、８１０  縦スロット
７１  前サスペンション部
７２  後サスペンション部
３２  上サイド
７  支えガイドバー
312  左電機
52  左スクリュー
528  第二光穴
529  第一ネジ穴
３１１  前凸耳上
３１１  左前凸耳
３１  左下側壁
３１１０  第一殘り空隙漏れ
412  右電機
51  右スクリュー
518  第二ネジ穴
５１９  第一光穴
４１１  右前凸耳
４１１  右前凸耳
４１  右下側壁
４１１０  第二殘り空隙漏れ
101  放熱フィン
【図１】
2017020326.tif 000003
【図２】
2017020326.tif 000004